(57)【要約】【課題】容器本体の高さ寸法を増加させずにキャップの緩みを防止することができるキャップ付き容器を提供する。【解決手段】キャップ20の雌ねじ25には、内周側へ突出する緩み防止突起28を形成し、容器本体30の雄ねじ34には、キャップ20の締結完了時に緩み防止突起28を乗越え係止させて、キャップ20の緩みを防止する係止突起37を形成する。【選択図】図２
2015030483.tif 000002
【特許請求の範囲】
【請求項１】
内周面に雌ねじが形成された周壁部と該周壁部の上端を閉塞する頂壁部とを有するキャップと、該キャップの雌ねじが締結される雄ねじが外周面に形成された口部を有する容器本体とを備えるキャップ付き容器において、
前記キャップの雌ねじには、内周側へ突出する緩み防止突起が形成され、
前記容器本体の雄ねじには、前記キャップの締結完了時に前記緩み防止突起を乗越え係止させて、前記キャップの緩みを防止する係止突起が形成されていることを特徴とするキャップ付き容器。
【請求項２】
前記キャップの緩み防止突起は、前記雌ねじの山頂部から、前記キャップの回転軸線に沿って、該山頂部の下方に連続する谷底部まで延びるリブ状突起である、請求項１に記載のキャップ付き容器。
【請求項３】
前記キャップは前記緩み防止突起を複数有し、前記容器本体の係止突起は、前記キャップの締結完了時に、締結トルクの大きさに応じて、前記複数の緩み防止突起のうちのいずれかを乗越え係止させる、請求項１又は２に記載のキャップ付き容器。
【請求項４】
前記容器本体は前記係止突起を複数有し、前記キャップは、各係止突起に対応してそれぞれ、前記複数の緩み防止突起を有する、請求項３に記載のキャップ付き容器。
【発明の詳細な説明】
【技術分野】
【０００１】
本発明は、内周面に雌ねじが形成された周壁部を有するキャップと、該キャップの雌ねじが締結される雄ねじが外周面に形成された口部を有する容器本体とを備えるキャップ付き容器に関し、特に、容器本体の高さ寸法を増加させずにキャップの緩みを防止しようとするものである。
【背景技術】
【０００２】
従来、キャップの緩みを防止するようにしたキャップ付き容器として、例えば特許文献１〜３に記載されるようなものが知られている。特許文献１では、容器本体の口部外周面にＯリングを設置し、キャップの締結完了時に、当該Ｏリングがキャップの周壁部の内周面に圧接するようにしている。
【０００３】
また、特許文献２では、キャップの雌ねじの山部上面に上方へ突出する緩み防止突起を形成し、容器本体の雄ねじの山部下面には、キャップの締結完了時に緩み防止突起と嵌合する係止凹部を形成している。
【０００４】
さらに、特許文献３では、キャップの雌ねじに内周側に突出するとともに、キャップの締結完了時に容器本体の雄ねじの山頂部に圧接する緊締用の突起を形成している。
【先行技術文献】
【特許文献】
【０００５】
【特許文献１】実開昭５８−１０３７４０号公報
【特許文献２】特公昭４８−２２７８０号公報
【特許文献３】実公昭５７−４６０４号公報
【発明の概要】
【発明が解決しようとする課題】
【０００６】
しかしながら、特許文献１記載のものでは、容器本体の口部外周面において、雄ねじ形成領域の上側又は下側に、Ｏリングを設置するスペースを設ける必要があり、その分だけ容器本体の高さ寸法を増加させる必要があった。
【０００７】
また、特許文献２記載のものでは、容器本体の雄ねじの山部に係止凹部を形成するため、当該凹部においても雄ねじの山部の強度を十分に確保するためには、雄ねじの山部全体の上下幅を大きく設定する必要があり、その結果、この場合も容器本体の高さ寸法を増加させる必要があった。
【０００８】
さらに、特許文献３記載のものでは、キャップの締結完了時に雌ねじ側の突起が雄ねじに圧接するにすぎず、係止される構造になっていないため、キャップの緩みを必ずしも十分に防止できるとは限らなかった。
【０００９】
本発明は、前述したような従来の課題を解決するために開発されたもので、容器本体の高さ寸法を増加させずにキャップの緩みを防止することができるキャップ付き容器を提供することを目的とする。
【課題を解決するための手段】
【００１０】
すなわち、本発明の要旨構成は以下のとおりである。
１．内周面に雌ねじが形成された周壁部と該周壁部の上端を閉塞する頂壁部とを有するキャップと、該キャップの雌ねじが締結される雄ねじが外周面に形成された口部を有する容器本体とを備えるキャップ付き容器において、
前記キャップの雌ねじには、内周側へ突出する緩み防止突起が形成され、
前記容器本体の雄ねじには、前記キャップの締結完了時に前記緩み防止突起を乗越え係止させて、前記キャップの緩みを防止する係止突起が形成されていることを特徴とするキャップ付き容器。
【００１１】
２．前記キャップの緩み防止突起は、前記雌ねじの山頂部から、前記キャップの回転軸線に沿って、該山頂部の下方に連続する谷底部まで延びるリブ状突起である、前記１のキャップ付き容器。
【００１２】
３．前記キャップは前記緩み防止突起を複数有し、前記容器本体の係止突起は、前記キャップの締結完了時に、締結トルクの大きさに応じて、前記複数の緩み防止突起のうちのいずれかを乗越え係止させる、前記１又は２のキャップ付き容器。
【００１３】
４．前記容器本体は前記係止突起を複数有し、前記キャップは、各係止突起に対応してそれぞれ、前記複数の緩み防止突起を有する、前記３のキャップ付き容器。
【発明の効果】
【００１４】
本発明によれば、キャップの容器本体への締結完了時に、キャップの雌ねじに形成された内周側へ突出する緩み防止突起を、容器本体の雄ねじに形成された係止突起に乗越え係止させて、キャップの緩みを防止することができる。しかも、緩み防止突起及び係止突起は雌ねじ及び雄ねじに形成されるため、容器本体の高さ寸法を増加させる必要もない。したがって、本発明によれば、容器本体の高さ寸法を増加させずにキャップの緩みを防止することができるキャップ付き容器を提供することができる。
【図面の簡単な説明】
【００１５】
【図１】本発明の一実施形態に係るキャップ付き容器の一部断面側面図である。
【図２】図１の要部拡大図である。
【図３】図１の容器本体を示す図であり、（ａ）は（ｂ）のＡ−Ａ断面図、（ｂ）は一部断面側面図である。
【図４】図１のキャップを示す図であり、（ａ）は底面図、（ｂ）は（ａ）のＢ−Ｂ断面図、（ｃ）は（ａ）のＣ−Ｃ断面図である。
【発明を実施するための形態】
【００１６】
以下、図面を参照して、本発明の一実施形態に係るキャップ付き容器について詳細に例示説明する。
なお、本明細書において上方及び下方とはそれぞれ、容器本体を起立させ、キャップを取り付けた状態での上方及び下方を意味するものとする。
図１〜図２に示すように、本実施形態に係るキャップ付き容器１は、キャップ２０と、容器本体３０とからなる。
【００１７】
キャップ２０は、キャップ２０の回転軸線Ｏの周りに周設された周壁部２１と、周壁部２１の上端を閉塞する頂壁部２２とを有する。頂壁部２２の裏面には、円盤状のパッキン２３が配置されている。周壁部２１の内周面の上端縁付近には、パッキン２３の外周縁を保持するための環状突起２４が周設されている。環状突起２４より下方の周壁部２１の内周面には、雌ねじ２５が形成されている。
【００１８】
容器本体３０は、円筒状の胴部３１から縮径するとともに容器本体３０の内部空間に繋がる開口３２を形成する口部３３を有する。口部３３の外周面には、キャップ２０の雌ねじ２５が締結される雄ねじ３４が形成されている。
【００１９】
なお、本例では、キャップ２０及び容器本体３０はいずれも、合成樹脂材料の射出成形によって形成することが好ましいが、必ずしもそのような素材及び製造方法に限定されるものではない。
【００２０】
図３（ａ）及び図３（ｂ）に示すように、雄ねじ３４は、山部３５が断面台形状をなす一条ねじとして形成されている。雄ねじ３４の山部３５は、図４を用いて後述する雌ねじ２５の場合とは異なり、雄ねじ３４の旋回軌道に沿って連続して設けられている。雄ねじ３４の谷底部３６は、口部３３の外周面と同一の径寸法になっている。谷底部３６の上下方向の幅Ｖ１は、山部３５における山頂部３５ａの上下方向の幅Ｍ１よりも広くなっている。
【００２１】
雄ねじ３４の谷底部３６には、キャップの回転軸線Ｏを挟んで互いに対向する２箇所にそれぞれ、１本の上下方向に延びるリブ状の係止突起３７が形成されている。係止突起３７は、当該係止突起３７の上下に隣接する雄ねじ３４の山部３５間に亘って延びている。係止突起３７の上方からみた断面形状は、図３（ａ）に示したように、略半円形状としてもよいが、例えば矩形状としてもよく、適宜変更が可能である。
【００２２】
キャップ２０の雌ねじ２５は、図４（ａ）〜図４（ｃ）に示すように、前述した雄ねじ３４の場合と同様に、山部２６が断面台形状をなす一条ねじとして形成されている。しかしながら、本例では、雌ねじ２５の山部２６は、雄ねじ３４の場合とは異なり、雌ねじ２５の旋回軌道に沿って断続的に設けられている。すなわち、雌ねじ２５の山部２６は、雌ねじ２５の回転軸線Ｏの周りに対称な４箇所において間隔Ｘを空けるように断続して設けられている。
【００２３】
雌ねじ２５の谷底部２７は、周壁部２１の内周面と同一の径寸法になっている。谷底部２７の上下方向の幅Ｖ２は、山部２６における山頂部２６ａの上下方向の幅Ｍ２よりも広くなっている。また、図２に示したように、雌ねじ２５の山頂部２６ａの上下方向の幅Ｍ２は、雄ねじ３４の山頂部３５ａの上下方向の幅Ｍ１よりも小さく、雌ねじ２５の谷底部２７の上下方向の幅Ｖ２は、雄ねじ３４の谷底部３６の上下方向の幅Ｖ１よりも大きくなっている。
【００２４】
雌ねじ２５には、キャップ２０の容器本体３０への締結完了時に、前述した係止突起３７と対向する位置に、内周側へ突出する緩み防止突起２８が形成されている。緩み防止突起２８は、雌ねじ２５の山頂部２６ａから、キャップ２０の回転軸線Ｏに沿って、当該山頂部２６ａの下方に連続する谷底部２７まで延びるリブ状突起として形成されている。緩み防止突起２８は、周方向から見た断面形状が台形状をなし、雌ねじ２５の山頂部２６ａから内周側へ突出した部分が、キャップ２０の締結完了時に係止突起３７に乗越え係止するようになっている。
【００２５】
また、図４（ａ）〜図４（ｃ）に示したように、１つの係止突起３７に対して互いに近接する３つの緩み防止突起２８が形成されている。これら３つの緩み防止突起２８は、キャップ２０の締結完了時に、キャップ２０が、締結トルクの大きさによってどの位置で止まっても、３つの緩み防止突起２８のうちのいずれかが係止突起３７に乗越え係止されるように配置されている。なお、本例では、係止突起３７は２つ設けられているので、緩み防止突起２８は計６つ設けられている。
【００２６】
なお、このように、雌ねじ２５の山頂部２６ａから内周側へ突出する緩み防止突起２８を有するキャップ２０を合成樹脂の射出成形によって製造するに際しては、コラプシブルコアとも称される径方向に縮径させて抜くコアを使用することが、コアへの緩み防止突起２８の引掛りを回避する観点から好ましい。
【００２７】
かかる構成によれば、図２に示したように、キャップ２０の容器本体３０への締結完了時に、キャップ２０の雌ねじ２５に形成された内周側へ突出する緩み防止突起２８を、容器本体３０の雄ねじ３４に形成された係止突起３７に乗越え係止させて、キャップ２０の緩みを防止することができる。しかも、緩み防止突起２８及び係止突起３７は雌ねじ２５及び雄ねじ３４に形成されるため、容器本体３０の高さ寸法を増加させる必要もない。
【００２８】
また、本例では、緩み防止突起２８は、雌ねじ２５の山頂部２６ａから、キャップ２０の回転軸線Ｏに沿って、当該山頂部２６ａの下方に連続する谷底部２７まで延びるリブ状突起として形成されているため、少ない材料で効率的に強度を高めた緩み防止突起とすることができ、キャップ２０の緩み防止効果を高めることができる。
【００２９】
また、本例では、１つの係止突起３７に対して互いに近接する３つの緩み防止突起２８が形成されているため、係止突起３７は、キャップ２０の締結完了時に、締結トルクの大きさに応じて、互いに近接する３つの緩み防止突起２８のうちのいずれかを乗越え係止させることができる。すなわち、キャップ２０の締結完了時に、キャップ２０が、締結トルクの大きさによって３つの緩み防止突起２８のいずれが係止される位置で止まっても、緩みを防止することができる。
【００３０】
さらに、本例では、係止突起３７が２つ形成され、各係止突起３７に対応してそれぞれ、互いに近接する３つの緩み防止突起２８が形成されているため、キャップ２０の締結完了時に、２つの係止突起３７にそれぞれ、緩み防止突起２８を係止させることができ、緩み防止効果を高めることができる。
【００３１】
上述したところは、本発明の一実施形態を示したにすぎず、特許請求の範囲において、種々の変更を加えることができる。例えば、本例では、係止突起３７を２つ設け、各係止突起３７に対して３つの緩み防止突起２８を設けるものとして説明したが、必ずしもそのような個数とする必要はなく、例えば、係止突起３７を１つ又は３つとしたり、各係止突起３７に対して２つ又は４つの緩み防止突起２８を設けたりすることもできる。また、逆に、１つの緩み防止突起２８に対して互いに近接する複数の係止突起３７を設け、キャップ２０の締結完了時に、締結トルクの大きさに応じて、緩み防止突起２８を複数の係止突起３７のうちのいずれかに乗越え係止させるようにしてもよい。さらに、緩み防止突起２８は、周方向から見た断面形状が台形状をなすものとして説明したが、必ずしもこのような形状に限定する必要はなく、例えば、矩形状とすることもできる。このように矩形状とする場合には、緩み防止突起２８は、例えば、雌ねじ２５の山頂部２６ａの上下方向中央部から、キャップ２０の回転軸線Ｏに沿って、当該山頂部２６ａの下方に連続する谷底部２７の上下方向中央部まで延びるリブ状突起として形成することができる。
【符号の説明】
【００３２】
１  キャップ付き容器
２０  キャップ
２１  周壁部
２２  頂壁部
２３  パッキン
２４  環状突起
２５  雌ねじ
２６  雌ねじの山部
２６ａ  雌ねじの山部の山頂部
２７  雌ねじの谷底部
２８  緩み防止突起
３０  容器本体
３１  胴部
３２  開口
３３  口部
３４  雄ねじ
３５  雄ねじの山部
３５ａ  雄ねじの山部の山頂部
３６  雄ねじの谷底部
３７  係止突起
Ｏ  回転軸線
Ｖ１  雄ねじの谷底部の上下方向の幅
Ｍ１  雄ねじの山部における山頂部の上下方向の幅
Ｘ  間隔
Ｖ２  雌ねじの谷底部の上下方向の幅
Ｍ２  雌ねじの山部における山頂部の上下方向の幅
【図１】
2015030483.tif 000003
【図２】
2015030483.tif 000004
【図３】
2015030483.tif 000005
【図４】
2015030483.tif 000006